(57)【特許請求の範囲】
【請求項１】
洋服ダンス等のパイプに係合可能な、又は引き出し等に載置可能な防虫剤容器において、
係合手段のオス部とメス部とを前後左右対称な位置に設けた同一形状の２つの成形体を別個に備えるとともに、この２つの成形体のオス部とメス部とをそれぞれ係合して、同一形状の２つの成形体を合わせることにより形成したことを特徴とする防虫剤容器。
【請求項２】
前記防虫剤容器の中央部にパイプを係合可能な開口及びパイプ挿入孔を設けるとともに、このパイプ挿入孔を中心とした左右のみに揮散孔を有する防虫剤の収納部を設けたことを特徴とする請求項１記載の防虫剤容器。
【請求項３】
前記収納部をパイプ挿入孔中心から下方５ｃｍ以内の位置に設けたことを特徴とする請求項２記載の防虫剤容器。
【発明の詳細な説明】
【０００１】
【発明の属する技術分野】
本願発明は、衣料害虫等の揮散性防虫剤を収容した容器を吊設して用いたり、又は引き出しに入れて用いる防虫剤容器に関するものである。
【０００２】
さらに詳しくは、防虫剤容器の同じ成形体を合わせることにより、簡単に、防虫剤容器をつくることのできる防虫剤容器に関するものである。
【０００３】
【従来の技術】
従来、この種の防虫剤容器として、フックにより洋服ダンスのパイプに吊り下げるようにしたものが市販されている。
これらの市販品は、容器本体がフックの長さだけパイプより低い位置となるため、パイプに吊り下げた衣服の間に隠れ、衣服によって防虫剤の揮散、拡散が妨げられたり、容器本体内防虫剤の減り具合が衣服に邪魔されて確認しにくい欠点がある。また、防虫剤の揮散効果を上げるため、容器の揮散孔を大きくすると、この揮散孔より防虫剤が衣服に直接触れて、衣服を汚損するなどの欠点もあった。
【０００４】
また、従来のフックを配設した防虫剤容器の製作は、１対の容器成形体を合わせたものや１対の容器成形体の下端をヒンジにて容器を閉塞したものなどと、２つの金型や大型の金型を準備することから金型投資金額や製作時間に改善すべき問題もある。
【０００５】
そこで、本願発明は、かかる欠点や問題を改良・改善することで安心して使用でき、しかも洋服ダンス内全体に揮散性防虫剤を有効に拡散する効果を発揮する防虫剤容器であり、また、投資金額等の開発負担を低減した防虫剤容器を提供することを目的とするものである。
【０００６】
【課題を解決するための手段】
前記目的を達成するために、防虫剤容器を効力及び価格の両面から検討した結果、本願発明に到った。
【０００７】
請求項１に係る発明は、洋服ダンス等のパイプに係合可能な、又は引き出し等に載置可能な防虫剤容器において、係合手段のオス部とメス部とを前後左右対称な位置に設けた同一形状の２つの成形体を別個に備えるとともに、この２つの成形体のオス部とメス部とをそれぞれ係合して、同一形状の２つの成形体を合わせることにより形成した防虫剤容器である。
【０００８】
そして、請求項１に係る発明によれば、１つの金型で前記成形体を製作でき、その成形体を２つ合わせ、オス部とメス部とをそれぞれ係止することにより防虫剤容器が製作でき、そして、少ない投資金額及び短い製作期間で製作できる。
【０００９】
請求項２に係る発明は、前記防虫剤容器の中央部にパイプを係合可能な開口及びパイプ挿入孔を設けるとともに、このパイプ挿入孔を中心とした左右のみに揮散孔を有する防虫剤の収納部を設けた防虫剤容器である。
【００１０】
請求項２に係る発明によれば、洋服ダンス内の衣服等の整理状況に関係なく、防虫剤を有効に揮散及び拡散でき、高い防虫効果を得、且つ防虫剤の存在を目視で確認できる、便利且つ衣服に優しい洋服ダンス等のパイプに係合可能な開口を設けた防虫剤容器を提供できる。
【００１１】
請求項３に係る発明は、前記収納部をパイプ挿入孔中心から下方５ｃｍ以内の位置に設けた防虫剤容器である。
【００１２】
収納部を洋服ダンス等のパイプ中心より、下方５ｃｍ以内の位置に設けることにより、洋服ダンス内で、衣類用ハンガーに掛けられた衣類への接触を防止することで、衣類への薬剤の吸着を防ぐ。また、前記容器の左右に揮散孔を設け、該揮散孔の周辺内部に係合手段のメス部を設け、該メス部に対応するオス部を前後左右対称位置にオス部を設けた防虫剤容器であり、防虫剤の存在を確認できる。
【００１６】
【発明の実施の態様】
本願発明の実施例を、図面を参照して説明する。なお、本願発明はこれらに何ら限定されるものではない。
図１は、本願発明の実施例である防虫剤容器１の正面図である。洋服ダンスのパイプ（吊り棒）係合可能な開口２を設け、その開口２よりパイプ挿入孔６に洋服ダンスのパイプを挿入して、防虫剤容器１を取り付ける。
【００１７】
防虫剤容器１の全体は弾性を有する紙や合成樹脂等で製作され、収納部７を有する。収納部７には、パラジクロルベンゼン等の固形防虫剤１０や揮散性のピレスロイド、有機リン酸剤等の液体防虫剤を含浸させて形成した防虫剤１０が収容されている。防虫剤容器１の収納部７には揮散孔８を設け、揮散孔８より防虫剤１０の薬剤が防虫剤容器１外へ放散されるようになっている。
【００１８】
洋服ダンス内等に防虫剤容器１を設置するに当たっては、開口２を拡開してパイプの外径より大きく開き、パイプをパイプ挿入孔６に挿入すればよい。
なお、パイプをパイプ挿入孔６に挿入した後、防虫剤容器１を１８０°回転させて、上下を代えるとパイプと防虫剤容器１は外れにくくなる。
【００１９】
防虫剤容器１の中央に開口２を有するパイプ挿入孔６を設け、パイプ挿入孔６を中心に左右に収納部７を設け、該収納部７に揮散孔８を設ける。
揮散孔の８の周辺部には係止手段５を設け、該係止手段５はオス部３とメス部４から成り、オス部３とメス部４とを前後左右対称に設けた防虫剤容器１の成形体Ｓを形成する。
同じ成形体Ｓを２つ合わせて、収納部７に防虫剤１０を収納させ、係止手段５に（オス部３、メス部４）より係合させて防虫剤容器１を形成する。
【００２０】
図２は図１に示された防虫剤容器１の平面図であり、２つの成形体Ｓからなり、開口２を拡げ、開口２よりパイプに挿入する。
図３及び図４は、図１のＡ−Ａ断面側面図及びＢ−Ｂ断面側面図であり、一方の成形体Ｓのメス部４に、他方の成形体Ｓのオス部３が係合し、２つの成形体からなる収納部７に防虫剤１０を収納する。
また、成形体Ｓの周縁には凹凸部９を設け、２つの成形体を合わせたとき、周縁が確実に嵌合する。
【００２１】
図５は、成形体Ｓの内側を説明するもので、中央部のパイプ挿入孔６の左右に揮散孔８を設け、右揮散孔８の周辺内部にオス部３を設け、該オス部３に対応する左揮散孔８の周辺内部にメス部４を設ける。
一方の成形体Ｓの右周縁部には、凹凸部９の凹部９２を設け、該凹部９２に対応する成形体Ｓの左周縁部には凸部９１を設け、他方の凹部９２と凸部９１とがそれぞれ嵌合する。
成形体Ｓの内面から保持部１１が突起しており、保持部により防虫剤を保持する。
なお、収納部７を防虫剤容器１の左右に設けているが、全面や下面等に設けることもできる。また、揮散孔８についても、設ける位置は自由である。
【００２２】
図６は一方の成形体Ｓと他方の成形体Ｓとを組み合わせる説明図であり、オス部３とメス部４とを係合させて防虫剤容器を形成する。
【００２３】
図６において、パイプ挿入孔６の中心から約５ｃｍ以内に防虫剤１０の収納部７を設けると、洋服ダンス内で、衣類用ハンガーに掛けられた衣類への接触を防止でき、衣類への薬剤の吸着を防ぎ、効率的に無駄無く防虫剤を蒸散させることで効率良く洋服ダンス内を防虫する。
【００２４】
図７は、形状の異なった他の実施例である。
図８は、パイプ挿入孔がない防虫剤容器の成形体Ｓであり、図８に示された成形体Ｓを２つ組み合わせて防虫剤容器を形成する。
左右に揮散孔８を設け、右揮散孔８の周辺部には係合手段のメス部４を設け、該メス部４に対応するオス部３を左揮散孔８に設ける。形成体Ｓを合わせて、防虫剤容器を形成する。
該防虫剤容器はタンス等の引き出しの中に置くことができる。
【図面の簡単な説明】
【図１】本願発明の防虫剤容器の正面図である。
【図２】図１で示された防虫剤容器の平面図である。
【図３】図１で示された防虫剤容器のＡ−Ａの断面側面図である。
【図４】図１で示された防虫剤容器のＢ−Ｂの断面側面図である。
【図５】成形体Ｓの内側の説明図である。
【図６】２つの成形体の組み合わせを説明する説明図である。
【図７】防虫剤容器の第２の実施例を示す斜視図である。
【図８】防虫剤容器の第３の実施例である防虫剤容器の成形体を説明する説明図である。
【符号の説明】
１…防虫剤容器、２…開口、３…オス部、４…メス部、５…係合手段、６…パイプ挿入孔、７…収納部、８…揮散孔、９…凹凸部。
【図１】
0004389191.tif 000002
【図２】
0004389191.tif 000003
【図３】
0004389191.tif 000004
【図４】
0004389191.tif 000005
【図５】
0004389191.tif 000006
【図６】
0004389191.tif 000007
【図７】
0004389191.tif 000008
【図８】
0004389191.tif 000009